(57)【要約】【課題】  ペット用吸収性シートに関する一層合理的な構築技術を提供する。【解決手段】  ペット用吸収性シート１００の載置面１５０は、載置対象に接着可能とされた接着領域２００を有し、接着領域２００は、第１接着領域２１０と、第１接着領域２１０とは異なる態様で構成された第２接着領域２２０とを有する。【選択図】  図３
2014226042.tif 000002
【特許請求の範囲】
【請求項１】
ペット用吸収性シートであって、
液透過性を有する第１シートと、液不透過性を有する第２シートと、前記第１シート及び前記第２シートの間に配置される吸収性コアと、ペットが排泄を行う側の表面である排泄面と、当該排泄面と対向する表面である載置面と、を有し、
前記載置面は、載置対象に接着可能とされた接着領域を有し、
前記接着領域は、第１接着領域と、当該第１接着領域とは異なる態様で構成された第２接着領域とを有することを特徴とするペット用吸収性シート。
【請求項２】
請求項１に記載されたペット用吸収性シートであって、
前記第１接着領域における接着力が、前記第２接着領域における接着力よりも弱く形成されることにより、前記第１接着領域は前記第２接着領域とは異なる態様で構成されることを特徴とするペット用吸収性シート。
【請求項３】
請求項１または２のいずれか１項に記載されたペット用吸収性シートであって、
前記接着領域は、粘着剤が塗布された粘着領域により形成されることを特徴とするペット用吸収性シート。
【請求項４】
請求項３に記載されたペット用吸収性シートであって、
前記第１接着領域と、前記第２接着領域とは同一の組成を有する粘着剤が塗布されるとともに、
前記第１接着領域には、接着力を低減する領域である接着力低減領域が形成されていることを特徴とするペット用吸収性シート。
【請求項５】
請求項４に記載されたペット用吸収性シートであって、
前記接着力低減領域は、前記第１接着領域における一部の領域にエンボス加工を施すことにより形成されることを特徴とするペット用吸収性シート。
【請求項６】
請求項４に記載されたペット用吸収性シートであって、
前記接着力低減領域は、前記第１接着領域における一部の領域にパウダーを配置することにより形成されることを特徴とするペット用吸収性シート。
【請求項７】
請求項４に記載されたペット用吸収性シートであって、
前記接着力低減領域は、前記第１接着領域における一部の領域に粘着剤を設けないことにより形成されることを特徴とするペット用吸収性シート。
【請求項８】
請求項１〜７のいずれか１項に記載されたペット用吸収性シートであって、
前記接着領域の少なくとも一部に配置される剥離シートを有し、
前記剥離シートは、前記接着領域に向けられる第１剥離シート面と、当該第１剥離シート面と対向する面である第２剥離シート面とを有することを特徴とするペット用吸収性シート。
【発明の詳細な説明】
【技術分野】
【０００１】
本発明は、ペット用吸収性シートに関するものである。
【背景技術】
【０００２】
従来より、特に室内で飼育されるペットの排泄物処理には、ペット用吸収性シートが使用される。ペット用吸収性シートとしては種々の構成が提案されている。例えば、特開２００３−３２５０６８号に示されたペット用吸収性シートが提案されている。
【０００３】
特開２００３−３２５０６８号に示されたペット用吸収性シートは、両面粘着テープにより、床などの載置対象に接着される。一方、特開２００３−３２５０６８号に示されたペット用吸収性シートの構造にあっては、ペット用吸収性シートを載置対象に接着するにあたり、床の種類により使い分けを行うことができなかった。
【先行技術文献】
【特許文献】
【０００４】
【特許文献１】特開２００３−３２５０６８号公報
【発明の概要】
【発明が解決しようとする課題】
【０００５】
本発明は、このような点に鑑みて創案されたものであり、ペット用吸収性シートに関する一層合理的な構築技術を提供することを目的とする。
【課題を解決するための手段】
【０００６】
上記課題を解決するため、本発明に係るペット用吸収性シートの好ましい形態によれば、液透過性を有する第１シートと、液不透過性を有する第２シートと、第１シート及び第２シートの間に配置される吸収性コアと、ペットが排泄を行う側の表面である排泄面と、当該排泄面と対向する表面である載置面と、を有する。さらに、載置面は、載置対象に接着可能とされた接着領域を有する。接着領域は、第１接着領域と、当該第１接着領域とは異なる態様で構成された第２接着領域とを有する。
すなわち、本発明に係るペット用吸収性シートは、載置面に第１接着領域と第２接着領域とを有するため、様々な種類の載置対象に対し良好な接着状態を確保することができる。また、ユーザが所望する強度にて、ペット用吸収性シートを載置対象に接着することが可能となる。
【０００７】
本発明に係るペット用吸収性シートのさらなる形態によれば、第１接着領域における接着力が、第２接着領域における接着力よりも弱く形成される。この構成により、第１接着領域は第２接着領域とは異なる態様で構成される。
【０００８】
本発明に係るペット用吸収性シートのさらなる形態によれば、接着領域は、粘着剤が塗布された粘着領域により形成される。
【０００９】
本発明に係るペット用吸収性シートのさらなる形態によれば、第１接着領域と、第２接着領域とは同一の組成を有する粘着剤が塗布されるとともに、第１接着領域には、接着力を低減する領域である接着力低減領域が形成される。これにより、第１接着領域における接着力が、第２接着領域における接着力よりも弱く形成される。
【００１０】
本発明に係るペット用吸収性シートのさらなる形態によれば、接着力低減領域は、第１接着領域における一部の領域にエンボス加工を施すことにより形成される。
【００１１】
本発明に係るペット用吸収性シートのさらなる形態によれば、接着力低減領域は、第１接着領域における一部の領域にパウダーを配置することにより形成される。
【００１２】
本発明に係るペット用吸収性シートのさらなる形態によれば、接着力低減領域は、第１接着領域における一部の領域に粘着剤を設けないことにより形成される。
【００１３】
本発明に係るペット用吸収性シートのさらなる形態によれば、接着領域の少なくとも一部に配置される剥離シートを有する。剥離シートは、接着領域に向けられる第１剥離シート面と、第１剥離シート面と対向する面である第２剥離シート面とを有する。この剥離シートにより、使用される前のペット用吸収性シートにおける接着領域が被覆される。よって、接着領域が、ユーザの所望する箇所以外の箇所に接着することを防止することができる。
【発明の効果】
【００１４】
本発明によれば、ペット用吸収性シートに関する一層合理的な構築技術を提供することが可能となる。
【図面の簡単な説明】
【００１５】
【図１】本発明の基本構成に係るペット用吸収性シートの斜視図である。
【図２】本発明の基本構成に係るペット用吸収性シートの正面図である。
【図３】本発明の基本構成に係るペット用吸収性シートの底面図である。
【図４】剥離シートの斜視図である。
【図５】図５に係るＶＩＩ−ＶＩＩ線断面図である。
【図６】本発明の第１実施パターンに係るペット用吸収性シートの説明図である。
【図７】本発明の第２実施パターンに係るペット用吸収性シートの説明図である。
【図８】本発明の第３実施パターンに係るペット用吸収性シートの説明図である。
【図９】本発明の第４実施パターンに係るペット用吸収性シートの説明図である。
【図１０】本発明の第４実施パターンに係るペット用吸収性シートの説明図である。
【図１１】本発明の第５実施パターンに係るペット用吸収性シートの説明図である。
【図１２】本発明の第５実施パターンに係るペット用吸収性シートの説明図である。
【図１３】本発明の第６実施パターンに係るペット用吸収性シートの説明図である。
【図１４】本発明の第７実施パターンに係るペット用吸収性シートの説明図である。
【図１５】本発明の第７実施パターンに係るペット用吸収性シートの説明図である。
【図１６】本発明の第７実施パターンに係るペット用吸収性シートの説明図である。
【図１７】本発明の第８実施パターンに係るペット用吸収性シートの説明図である。
【図１８】本発明の第９実施パターンに係るペット用吸収性シートの説明図である。
【図１９】本発明の第１０実施パターンに係るペット用吸収性シートの説明図である。
【図２０】本発明の第１１実施パターンに係るペット用吸収性シートの説明図である。
【図２１】本発明の第１２実施パターンに係るペット用吸収性シートの説明図である。
【図２２】本発明の第１２実施パターンに係るペット用吸収性シートの説明図である。
【図２３】本発明の第１３実施パターンに係るペット用吸収性シートの説明図である。
【図２４】本発明の第１３実施パターンに係るペット用吸収性シートの説明図である。
【発明を実施するための最良の形態】
【００１６】
以下に、本発明に係るペット用吸収性シートを、図１〜図２４に基づき説明する。本実施の形態における「動物」は、脊椎動物（哺乳類、爬虫類、鳥類、両性類）や無脊椎動物を広く包含するが、典型的には、猫、犬、ウサギ、ハムスターなどといった愛玩動物がこれに該当する。
【００１７】
（基本構成）
本発明に係るペット用吸収性シートの基本構成を、図１〜図５に基づき説明する。
ペット用吸収性シート１００は、液透過性を有する表面シート１１０と、液不透過性を有する裏面シート１２０と、表面シート１１０及び裏面シート１２０の間に配置される吸収性コア１３０とを有する。このペット用吸収性シート１００が、本発明に係る「ペット用吸収性シート」の一例である。この表面シート１１０が、本発明に係る「第１シート」の一例である。この裏面シート１２０が、本発明に係る「第２シート」の一例である。この吸収性コア１３０が、本発明に係る「吸収性コア」の一例である。
【００１８】
このペット用吸収性シート１００は、所定の厚みを有する平板状のシートである。ペット用吸収性シート１００は、平坦状に広げられて、裏面シート１２０が載置対象に載置される。この状態は、ペットの排泄物を受ける状態であり、ペット使用モードとされる。ここでいう「ペットの排泄物」は、ペットの屎尿のみならず、唾液や経血等の体液も広く包含する趣旨である。
このペット使用モードにあっては、表面シート１１０が、ペットが排泄を行う側の表面である排泄面１４０を形成する。そして、裏面シート１２０は、排泄面１４０と対向する表面として、載置対象に載置される載置面１５０を形成する。この排泄面１４０が、本発明に係る「排泄面」の一例である。この載置面１５０が、本発明に係る「載置面」の一例である。
【００１９】
載置面１５０が載置される「載置対象」は、ペット用吸収性シート１００を床面等に直接的に敷設する形態や、ペット用吸収性シート１００を保持ホルダに取り付けた状態で当該保持ホルダごと床面等に設置する形態などが包含される。
ペット用吸収性シート１００が載置される床面は、種々の素材、構成が用いられる。例えば、床材の素材としては、ビニールやリノリウム等による合成樹脂によるもの、ワックスや油剤が塗布された木材によるもの、ワックスや油剤が塗布されない木材によるもの、畳に代表される植物繊維によるもの、ループを有する繊維によるもの、ループを有さない繊維によるものが用いられる。
【００２０】
ペット用吸収性シート１００は、矩形（長方形ないし正方形）のシートとして構成されるのが好ましいが、円形、楕円形、多角形としても構成し得る。
本発明に係るペット用吸収性シート１００は長方形であり、長手方向Ｙと、当該長手方向Ｙと交差する方向である長手交差方向Ｘとに延在される。ペット用吸収性シート１００は、長手方向Ｙ上における一対の端部である長手方向端部１００Ｙと、長手交差方向Ｘ上における一対の端部である長手交差方向端部１００Ｘとを有する。
なお、ペット用吸収性シート１００が真円形であり、長手方向Ｙを特定できない場合は、ペット用吸収性シート１００における一方の方向を長手方向Ｙとし、この長手方向Ｙと交差する他方の方向を長手交差方向Ｘとすることができる。
【００２１】
表面シート１１０、裏面シート１２０および吸収性コア１３０の構成自体や、配置形態は周知のペット用吸収性シートの構成を適宜選択することができる。よって、説明の便宜上、表面シート１１０、裏面シート１２０および吸収性コア１３０の構成自体や、配置形態の説明を省略する。
表面シート１１０は、熱可塑性繊維製の不織布にて構成可能であり、例えば、熱可塑性長繊維からなるスパンボンド不織布、熱可塑性短繊維からなるエアスルー不織布、ポイントボンド不織布、または開孔フィルムによって構成することができる。
裏面シート１２０は、液不透過性を確実に担保するべく、特に樹脂フィルムシートによって構成されるのが好ましい。この裏面シート１２０は、例えば、ポリエチレン、ポリプロピレン、ポリエチレンテレフタレートなどのフィルムを用いて構成可能である。また裏面シートに可撓性を持たせる点を考慮した場合には、不織布に撥水剤を塗布したものを用いることもできる。
吸収性コア１３０は、粒子状や繊維状の高吸収性ポリマーとフラッフパルプとの混合物や、粒子状や繊維状の高吸収性ポリマーとフラッフパルプと熱可塑性剛性樹脂繊維との混合物により形成される。
【００２２】
ペット用吸収性シート１００の載置面１５０は、載置対象に接着可能とされた接着領域２００を有する。接着領域２００は、第１接着領域２１０と、第２接着領域２２０とにより構成される。第１接着領域２１０と第２接着領域２２０とは異なる態様で構成される。この接着領域２００が、本発明に係る「接着領域」の一例である。この第１接着領域２１０が、本発明に係る「第１接着領域」の一例である。この第２接着領域２２０が、本発明に係る「第２接着領域」の一例である。
【００２３】
第１接着領域２１０における接着力は、第２接着領域２２０における接着力よりも弱く形成されている。これにより、第１接着領域２１０と第２接着領域２２０とは異なる態様で構成されている。
なお、本発明における「接着力」とは、接着領域２００と、載置対象とを固定する力のみならず、接着領域２００により載置面１５０が載置対象に接着された状態のペット用吸収性シートを、載置対象から剥離する力をも含むものである。すなわち、接着力は、載置対象に接着されたペット用吸収性シートを、載置対象から垂直に引き上げて剥離する際の力や、ペット用吸収性シートの端部（長手方向上の端部１００Ｙ、長手交差方向上の端部１００Ｘ）を使用者が把持し、この端部を斜め上方に引き上げて剥離する際の力を含むものである。
【００２４】
また、接着力が弱い（強い）を決定するにあたっては、接着領域２００と載置対象との相対関係を考慮する必要がある。例えば、後述する通り、複数の接着領域２００の内、一方の接着領域２００が粘着剤２３０を塗布したものであり、他方の接着領域２００が多数のフック部２４１を配置した構成を想定する。この場合、例えば、載置対象がビニール製の床材のように平滑である場合は、一方の接着領域２００の方が強い接着力を有する。よって、この場合は、フック部２４１を有する他方の接着領域２００が第１接着領域２１０を形成し、粘着剤２３０を有する一方の接着領域２００が第２接着領域２２０を形成する。しかし、載置対象が繊維によりループが形成された床材である場合は、他方の接着領域２００の方が強い接着力を有する。よって、この場合は、粘着剤２３０を有する一方の接着領域２００が第１接着領域２１０を形成し、フック部２４１を有する他方の接着領域２００が第２接着領域２２０を形成する。この粘着剤２３０が、本発明に係る「粘着剤」の一例である。このフック部２４１が本発明に係る「フック部」の一例である。
【００２５】
また、例えば、複数の接着領域２００の内、一方の接着領域２００と他方の接着領域とが、一方の載置対象に対して同一の接着力を有する場合が想定される。この場合であっても、他方の載置対象において、一方の接着領域２００と他方の接着領域の接着力が異なるのであれば、第１接着領域２１０と第２接着領域２２０とがそれぞれ形成されるものである。
【００２６】
また、例えば、一方の接着領域２００が他方の接着領域２００に対して、垂直方向の剥離力が強いものの、一方の接着領域２００が他方の接着領域２００に対して斜め上方の剥離力が弱い場合もあり得る。このような場合は、それぞれの場面において、第１接着領域２１０と第２接着領域２２０とがそれぞれ形成されるものである。
【００２７】
なお、本発明においては、説明の便宜上、特に上記のような床材の材質や構成との関係などを考慮せずに、第１接着領域２１０と第２接着領域２２０とを文言として説明し、図面に記載する場合がある。
【００２８】
図３におけるペット用吸収性シート１００にあっては、第１接着領域２１０と、第２接着領域２２０には、ともに粘着剤２３０が配置されている。
粘着剤２３０は、ゴム系、アクリル系エストラマー、アクリル樹脂系のものを使用することができる。また、粘着剤２３０は、エチレン・酢酸ビニルコポリマー（ＥＶＡ）や、ポリオレフィン系のホットメルト型粘着剤を使用することができる。また、粘着剤２３０は、テルペン樹脂などの粘着付与剤（ｔａｃｋｉｆｉｅｒ）として添加した粘着剤を使用することができる。なお、粘着剤２３０は、粘着力により載置対象と固定するためのもののみならず、載置対象との抵抗を増加させる作用を奏すれば足りる場合もある。載置対象との抵抗を増加させる粘着剤２３０としては、ウレタン系のものが好ましい。
【００２９】
隣接する第１接着領域２１０と第２接着領域２２０とは、隣接接着領域２００Ａを形成する。隣接接着領域２００Ａは、ペット用吸収性シート１００の載置面１５０に複数個所配置される。ペット用吸収性シート１００において、長手方向上の端部１００Ｙと長手交差方向上の端部１００Ｘとが交差する部分である角部１００Ｃを含む領域には、角領域１００Ｃ１が形成される。隣接接着領域２００Ａは、角領域１００Ｃ１に配置される。図３におけるペット用吸収性シート１００は長方形であるため、４カ所の角領域１００Ｃ１が形成される。隣接接着領域２００は、４カ所の角領域１００Ｃ１の全てに配置される。
【００３０】
接着領域２００における端部は、ペット用吸収性シート１００の端部と一致している。図３においては、接着領域２００を形成する第１接着領域２１０と第２接着領域２２０とにおける長手方向Ｙ上の端部が、ペット用吸収性シート１００の長手方向上の端部２００Ｙと一致している。これにより、ペット用吸収性シート１００の載置面１５０を、接着領域２００により載置対象に固定した場合、接着領域２００におけるペット用吸収性シート１００の長手方向上の端部１００Ｙが、載置対象に対して密着する。すなわち、接着領域２００におけるペット用吸収性シート１００の長手方向上の端部１００Ｙが、ペットにめくり上げられることを防止することが可能となる。
【００３１】
図４および図５は、接着領域２００に配置される剥離シート３００を示す。剥離シート３００は、接着領域２００に向けられる第１剥離シート面３１０と、第１剥離シート面３１０と対向する面である第２剥離シート面３２０とを有する。この剥離シート３００が、本発明に係る「剥離シート」の一例である。この第１剥離シート面３１０が、本発明に係る「第１剥離シート面」の一例である。この第２剥離シート面３２０が、本発明に係る「第２剥離シート面」の一例である。
【００３２】
第１剥離シート面３１０は、接着領域２００に対する接着を抑制する抑制領域３４０を有する。この抑制領域３４０は、第１剥離シート面３１０の全体に対して設けられる必要はなく、少なくとも一部で足りる。抑制領域３４０は、剥離シート本体３３０に設けられる。
剥離シート本体３３０は、半晒紙や、上質紙や、グラシン紙等が使用される。抑制領域３４０は、シリコーン樹脂が使用される。なお、図示しないが、剥離シート本体３３０と、抑制領域３４０との間には、抑制領域３４０のシリコーン樹脂が剥離シート本体３３０に含浸しないよう、目止め層が設けられる。目止め層は、ポリエチレンや、クレーコートや、ポリビニルアルコール等が使用される。
【００３３】
使用前のペット用吸収性シートにおいて、接着領域２００には剥離シート３００が配置される。すなわち、使用者がペット用吸収性シートを使用するにあたっては、接着領域２００から、剥離シート３００を剥離させる。そして、接着領域２００を載置対象に接着することにより、ペット用吸収性シート１００と載置対象とを固定する。
【００３４】
使用者は、剥離シート３００を剥離するにあたり、ペット用吸収性シート１００と載置対象の接着力を適宜選択することができる。
すなわち、例えば、ペット用吸収性シート１００を載置対象から取り外す際の容易さを重視するのであれば、接着領域２００における第１接着領域２１０のみを露出させる。この場合は、第１接着領域２１０に配置されている剥離シート３００を、接着領域２００から剥離する。そして、第１接着領域２１０を載置対象に接着する。
また、ペット用吸収性シート１００と載置対象との固定強度を重視するのであれば、接着領域２００における第２接着領域２２０のみを露出させる。この場合は、第２接着領域２２０に配置されている剥離シート３００を、接着領域２００から剥離する。そして、第２接着領域２２０を載置対象に固定する。このように、ペット用吸収性シート１００と載置対象との固定強度を重視する場合は、第１接着領域２１０と第２接着領域２２０の双方を露出させることもできる。
【００３５】
剥離シート３００は、第１接着領域２１０と、第２接着領域２２０とを選択的に露出させるべく、接着領域２００に配置される。
例えば、単一の剥離シート３００を、第１接着領域２１０と、第２接着領域２２０とにわたり配置することができる。この場合、第１接着領域２１０を露出させたい場合は、第１接着領域２１０に対向する剥離シート３００の領域を、第１接着領域２１０から剥離する。また、第２接着領域２２０を露出させたい場合は、第２接着領域２２０に対向する剥離シート３００の領域を、第２接着領域２２０から剥離する。
また、後述する通り、剥離シート３００を、第１接着領域２１０に配置される第１剥離シート３００Ａと、第２接着領域２２０に配置される第２剥離シート３００Ｂとにより形成することもできる。
【００３６】
本発明に係るペット用吸収性シート１００においては、上述の通り、ペット用吸収性シート１００と載置対象とを、所望の接着力にて固定することが可能となる。よって、ペット用吸収性シート１００は、使用者にとって使い勝手がよいものとなる。
【００３７】
以下、図６〜図１９に基づき、本発明に係る第１実施パターン〜第１０実施パターンを説明する。なお、第１実施パターン〜第１０実施パターンの説明において、上記した基本構成に係るペット用吸収性シート１００と同様の構成を有する構成要素や、他の実施パターンと同様の構成を有する構成要素は、その説明、図面符号などを省略する。
【００３８】
（第１実施パターン）
第１実施パターンに係るペット用吸収性シート１００１の構成を、図６に基づき説明する。図６は、ペット用吸収性シート１００１における接着領域２００を示す断面図であり、図３におけるＶＩ−ＶＩ線断面図に相当する図である。
ペット用吸収性シート１００１における第１接着領域２１０と第２接着領域２２０とには、同一の組成を有する粘着剤２３０が塗布されている。なお、第１接着領域２１０と第２接着領域とにおける載置対象と対向する面積は、同一とされている。
【００３９】
第１接着領域２１０には、接着力を低減する領域である接着力低減領域４００が形成される。この接着力低減領域４００が、本発明に係る「接着力低減領域」の一例である。
接着力低減領域４００は、第１接着領域２１０における一部の領域に設けられた凹部４１０により形成される。凹部４１０は、エンボス加工を施すことにより形成される。なお、エンボス加工としては、周知の加工方法を適宜選択することができる。達成しようとする第１接着領域２１０の構成に基づき、凹部４１０の配置形態、配置箇所などは適宜選択することができる。
【００４０】
第１接着領域２１０を載置対象に接着した場合、凹部４１０に配置された粘着剤２３０は、載置対象に接着されない。すなわち、この接着力低減領域４００により、第１接着領域２１０における接着力が、第２接着領域２２０における接着力よりも弱く形成される。従って、第１接着領域２１０は第２接着領域２２０とは異なる態様で構成される。
よって、第１実施パターンに係るペット用吸収性シート１００１は、上述した基本構成に係るペット用吸収性シート１００の作用および効果を達成することが可能となる。
【００４１】
（第２実施パターン）
第２実施パターンに係るペット用吸収性シート１００２の構成を、図７に基づき説明する。図７は、ペット用吸収性シート１００２における隣接接着領域２００Ａを示す拡大図である。
第２実施パターンに係るペット用吸収性シート１００２は、第１実施パターンに係るペット用吸収性シート１００１に比して、接着力低減領域４００の構成が異なる。
すなわち、第２実施パターンのペット用吸収性シート１００２における接着力低減領域４００は、第１接着領域２１０における一部の領域にパウダー４２０を配置することにより形成される。図７において、パウダー４２０は、長手方向Ｙに沿った状態にて配置されている。一方、達成しようとする第１接着領域２１０の構成に基づき、パウダー４２０の配置形態、配置箇所などは適宜選択し得る。なお、パウダーとしては、特に素材や構造を問わないが、石膏、カオリンなどの鉱物系のものや、スターチ、パルプなどが好適に用いられる。
【００４２】
第１接着領域２１０を載置対象に接着した場合、パウダー４２０が配置された粘着剤２３０は、載置対象に接着されない。すなわち、この接着力低減領域４００により、第１接着領域２１０における接着力が、第２接着領域２２０における接着力よりも弱く形成される。従って、第１接着領域２１０は第２接着領域２２０とは異なる態様で構成される。
よって、第２実施パターンに係るペット用吸収性シート１００２は、上述した基本構成に係るペット用吸収性シート１００の作用および効果を達成することが可能となる。
【００４３】
（第３実施パターン）
第３実施パターンに係るペット用吸収性シート１００３の構成を、図８に基づき説明する。図８は、ペット用吸収性シート１００３における隣接接着領域２００Ａを示す拡大図である。
第３実施パターンに係るペット用吸収性シート１００３は、第１実施パターンに係るペット用吸収性シート１００１に比して、接着力低減領域４００の構成が異なる。
すなわち、第３実施パターンのペット用吸収性シート１００３における接着力低減領域４００は、第１接着領域２１０における一部の領域に粘着剤２３０を配置しないことにより形成される。この、第１接着領域２１０における粘着剤２３０が配置されていない領域は、粘着剤非形成領域４３０とされる。図８において、粘着剤非形成領域４３０は、長手方向Ｙに沿った状態にて配置されている。一方、達成しようとする第１接着領域２１０の構成に基づき、粘着剤非形成領域４３０の配置形態、配置箇所などは適宜選択し得る。
【００４４】
第１接着領域２１０を載置対象に接着した場合、粘着剤非形成領域４３０は、載置対象に接着されない。すなわち、この接着力低減領域４００により、第１接着領域２１０における接着力が、第２接着領域２２０における接着力よりも弱く形成される。従って、第１接着領域２１０は第２接着領域２２０とは異なる態様で構成される。
よって、第３実施パターンに係るペット用吸収性シート１００３は、上述した基本構成に係るペット用吸収性シート１００の作用および効果を達成することが可能となる。
【００４５】
（第４実施パターン）
第４実施パターンに係るペット用吸収性シート１００４の構成を、図９および図１０に基づき説明する。図９および図１０は、ペット用吸収性シート１００４における接着領域２００を示す断面図であり、図３におけるＶＩ−ＶＩ線断面図に相当する図である。
第４実施パターンに係るペット用吸収性シート１００４は、第１実施パターンに係るペット用吸収性シート１００１に比して、接着力低減領域４００の構成が異なる。
【００４６】
第４実施パターンに係るペット用吸収性シート１００４に使用される剥離シート３００は、第１剥離シート面３１０の一部に、接着領域２００に対する接着を促進する促進領域３５０が形成されている。この促進領域３５０が、本発明に係る「促進領域」の一例である。促進領域３５０は、第１剥離シート面３１０における第１接着領域２１０と対向する所定位置に設けられる。達成しようとする第１接着領域２１０の構成に基づき、促進領域３５０の配置形態、配置箇所などは適宜選択し得る。
促進領域３５０は、第１剥離シート面３１０における第１接着領域２１０と対向する所定位置に、粘着剤を設けることにより形成することができる。なお、促進領域３５０における粘着剤の接着力は、接着領域２００における粘着剤２３０の接着力よりも弱く形成される。
【００４７】
剥離シート３００は、促進領域３５０の周囲に形成された切込みによる第１切込み部３５１を有する。
このように構成された剥離シート３００を、第１接着領域２１０から剥離する。すると、促進領域３５０が第１接着領域２１０の粘着剤２３０に固定されており、さらに、促進領域３５０の周囲に第１切込み部３５１が形成されていることから、促進領域３５０は剥離シート３００から離脱する。すなわち、促進領域３５０は、第１接着領域２１０に接着されたままの状態となり、残存促進領域３５２を形成する。この残存促進領域３５２により、接着力低減領域４００が形成される。
【００４８】
残存促進領域３５２の接着力は、接着領域２００の粘着剤２３０の接着力よりも弱い。すなわち、接着力低減領域４００により、第１接着領域２１０における接着力が、第２接着領域２２０における接着力よりも弱く形成される。従って、第１接着領域２１０は第２接着領域２２０とは異なる態様で構成される。
よって、第４実施パターンに係るペット用吸収性シート１００４は、上述した基本構成に係るペット用吸収性シート１００の作用および効果を達成することが可能となる。
【００４９】
（第５実施パターン）
第５実施パターンに係るペット用吸収性シート１００５の構成を、図１１および図１２に基づき説明する。図１１および図１２は、ペット用吸収性シート１００５における接着領域２００を示す断面図であり、図３におけるＶＩ−ＶＩ線断面図に相当する図である。
第５実施パターンに係るペット用吸収性シート１００５は、第１実施パターンに係るペット用吸収性シート１００１に比して、接着力低減領域４００の構成が異なる。
【００５０】
第５実施パターンに係るペット用吸収性シート１００５に使用される剥離シート３００は、第４実施パターンに係るペット用吸収性シート１００４と同様のものが使用される。すなわち、剥離シート３００における第１剥離シート面３１０の一部に、接着領域２００に対する接着を促進する促進領域３５０が形成されている。
【００５１】
第１接着領域２１０は、第１接着領域２１０の粘着剤２３０における一部の領域の周囲に形成された切込みによる第２切込み部２３１を有する。なお、第２切込み部２３１に囲まれた領域は、剥離シート３００の促進領域３５０と対向する箇所である。
このように構成された剥離シート３００を、第１接着領域２１０から剥離する。第１接着領域２１０における第２切込み部２３１に囲われた領域は、剥離シート３００の促進領域３５０に固定されている。よって、第１接着領域２１０における第２切込み部２３１に囲われた領域は、促進領域３５０に固定されたまま、第１接着領域２１０から離脱する。すなわち、剥離シート３００には、第１接着領域２１０から離脱された粘着剤２３０による移行粘着剤２３２が形成される。この結果、第１接着領域２１０における、第２切込み部２３１に囲まれた領域には、粘着剤２３０が存在しない領域となる。
この第１接着領域２１０における、粘着剤２３０が存在しない領域により接着力低減領域４００が形成される。
【００５２】
すなわち、接着力低減領域４００により、第１接着領域２１０における接着力が、第２接着領域２２０における接着力よりも弱く形成される。従って、第１接着領域２１０は第２接着領域２２０とは異なる態様で構成される。
よって、第５実施パターンに係るペット用吸収性シート１００５は、上述した基本構成に係るペット用吸収性シート１００の作用および効果を達成することが可能となる。
【００５３】
（第６実施パターン）
第６実施パターンに係るペット用吸収性シート１００６の構成を、図１３に基づき説明する。図１３は、ペット用吸収性シート１００６における接着領域２００を示す断面図であり、図３におけるＶＩ−ＶＩ線断面図に相当する図である。
第６実施パターンに係るペット用吸収性シート１００６は、第１実施パターンに係るペット用吸収性シート１００１に比して、接着力低減領域４００の構成が異なる。
すなわち、第６実施パターンのペット用吸収性シート１００６における接着力低減領域４００は、第１接着領域２１０における載置対象に接着される表面の面積が、第２接着領域２２０における載置対象に接着される表面の面積よりも小さく形成されている。
この、第1接着領域２１０と、第２接着領域２２０とにおける、載置対象に接着されるそれぞれの表面の面積の差によって、接着力低減領域４００が形成される。
【００５４】
すなわち、この接着力低減領域４００により、第１接着領域２１０における接着力が、第２接着領域２２０における接着力よりも弱く形成される。従って、第１接着領域２１０は第２接着領域２２０とは異なる態様で構成される。
よって、第６実施パターンに係るペット用吸収性シート１００６は、上述した基本構成に係るペット用吸収性シート１００の作用および効果を達成することが可能となる。
【００５５】
（第７実施パターン）
第７実施パターンに係るペット用吸収性シート１００７の構成を、図１４〜図１６に基づき説明する。図１４〜図１６は、ペット用吸収性シート１００７における接着領域２００を示す断面図であり、図３におけるＶＩ−ＶＩ線断面図に相当する図である。
第７実施パターンに係るペット用吸収性シート１００７は、第１実施パターンに係るペット用吸収性シート１００１に比して、第１接着領域２１０の接着力を減少させる手段が異なる。
すなわち、第７実施パターンのペット用吸収性シート１００７は、剥離シート３００が、第１剥離シート３００Ａと、第２剥離シート３００Ｂとにより形成される。この第１剥離シート３００Ａと、第２剥離シート３００Ｂは、それぞれ独立した接着領域２００に設けられる。
この第１剥離シート３００Ａと第２剥離シート３００Ｂを選択的に剥離することにより、接着力低減領域４００が形成される。
【００５６】
すなわち、第１剥離シート３００Ａの第１剥離シート面３１０を、第１剥離シート３００Ａが設けられている接着領域２００から剥離する。よって、第１剥離シート３００Ａが剥離された接着領域２００は、第１露出領域２１１を形成する。第１露出領域２１１は、接着領域２００の一部である。この第１露出領域２１１が、第１接着領域２１０を形成する。
次に、第２剥離シート３００Ｂの第１剥離シート面３１０を、第２剥離シート３００Ｂが設けられている接着領域２００から剥離する。よって、第２剥離シート３００Ｂが剥離された接着領域２００は、第２露出領域２２１を形成する。第２露出領域２２１は、接着領域２００の一部である。一方、既に第１露出領域２１１が形成されている。よって、第１露出領域２１１と、第２露出領域２２１とにより、接着領域２００が全て露出される。この第１露出領域２１１と第２露出領域２２１とが、第２接着領域２２０を形成する。
【００５７】
この第７実施パターンに係るペット用吸収性シート１００７にあっても、第１接着領域２１０における接着力が、第２接着領域２２０における接着力よりも弱く形成される。従って、第１接着領域２１０は第２接着領域２２０とは異なる態様で構成される。
よって、第７実施パターンに係るペット用吸収性シート１００７は、上述した基本構成に係るペット用吸収性シート１００の作用および効果を達成することが可能となる。
【００５８】
なお、第７実施パターンに係るペット用吸収性シート１００７のように、接着領域２００の露出面積により第１接着領域２１０と第２接着領域２２０を形成する場合は、他の構成を選択することができる。
例えば、複数の接着領域２００に亘り、単一の剥離シート３００を配置することができる。この場合、第１接着領域２１０は、接着領域２００の一部から剥離シート３００の第１剥離シート面３１０を剥離することによって露出された第１露出領域２１１により形成される。この際、剥離シート３００は、他の接着領域２００に接着されているため、ペット用吸収性シートからは離脱されていない。
そして、第２接着領域２２０は、接着領域２００の残りの領域から第１剥離シート面３１０を剥離することによって露出された第２露出領域２２１により形成される。
すなわち、剥離シート３００が単一である場合も、上述した第７実施パターンによるペット用吸収性シート１００７と同様に、第１接着領域２１０と、第２接着領域２２０とを形成することができる。
【００５９】
また、単一の接着領域２００に対して、第１剥離シート３００Ａと第２剥離シート３００Ｂを配置した構成であっても、上述した第７実施パターンによるペット用吸収性シート１００７と同様に、第１接着領域２１０と、第２接着領域２２０とを形成することができる。
さらに、単一の接着領域２００に対して、単一の剥離シート３００を配置した構成であっても、単一の剥離シート３００における第１剥離シート面３１０と接着領域２００とにおける剥離面積を調整することができる。よって、この場合であっても、上述した第７実施パターンによるペット用吸収性シート１００７と同様に、第１接着領域２１０と、第２接着領域２２０とを形成することができる。
【００６０】
（第８実施パターン）
第８実施パターンに係るペット用吸収性シート１００８の構成を、図１７に基づき説明する。図１７は、ペット用吸収性シート１００８における接着領域２００を示す断面図であり、図３におけるＶＩ−ＶＩ線断面図に相当する図である。
第８実施パターンに係るペット用吸収性シート１００８は、第１実施パターンに係るペット用吸収性シート１００１に比して、第１接着領域２１０の接着力を減少させる手段が異なる。
【００６１】
すなわち、第８実施パターンのペット用吸収性シート１００８は、第１接着領域２１０と、第２接着領域２２０とに対し、それぞれ異なる組成を有する粘着剤２３０が塗布される。この際、第１接着領域２１０における粘着剤２３０の粘着力は、第２接着領域２２０における粘着剤２３０の粘着力よりも弱く形成される。
第１接着領域２１０に設けられる粘着剤２３０のタック力は、５Ｎ未満が好ましい。また、第２接着領域２２０に設けられる粘着剤２３０のタック力は、５Ｎ以上が好ましい。
【００６２】
なお、このタック力は次の測定方法に基づき求められる。
１．使用機器
ＰＩＣＭＡタックテスタ  ＩＭＣ−１５６７（株式会社井元製作所）
２．評価手順
（１）平滑なステンレス板に粘着剤２３０を塗布し、接着領域２００を形成する。この接着領域２００の大きさは、１ｃｍ四方とする。
（２）接着領域２００を、使用機器のロール台に向けた状態で、ステンレス板を固定する
（３）接着領域２００を使用機器のロール台に接着させる。
（４）ロール台を３０ｍｍ毎秒の速度で上昇させる。
（５）接着領域２００とロール台が剥離した時点における値をタック強度とする。
【００６３】
この第８実施パターンに係るペット用吸収性シート１００８にあっても、第１接着領域２１０における接着力が、第２接着領域２２０における接着力よりも弱く形成される。従って、第１接着領域２１０は第２接着領域２２０とは異なる態様で構成される。
よって、第８実施パターンに係るペット用吸収性シート１００８は、上述した基本構成に係るペット用吸収性シート１００の作用および効果を達成することが可能となる。
【００６４】
（第９実施パターン）
第９実施パターンに係るペット用吸収性シート１００９の構成を、図１８に基づき説明する。図１８は、ペット用吸収性シート１００９における接着領域２００を示す断面図であり、図３におけるＶＩ−ＶＩ線断面図に相当する図である。
第９実施パターンに係るペット用吸収性シート１００９は、接着領域２００が、複数のフック部２４１が形成された係止領域２４０により形成される。この係止領域２４０による接着領域２００は、特に載置対象が繊維による床材の場合に好適である。
【００６５】
係止領域２４０は、第１フック部２４１Ａが設けられた領域と、第２フック部２４１Ｂが設けられた領域とにより形成される。第１フック部２４１Ａと、第２フック部２４１Ｂとは、ともに同一の構成に係るフック部が使用される。一方、第１フック部２４１Ａの方が、第２フック部２４１Ｂよりもフック部の数が少ない。
よって、第１フック部２４１Ａが第１接着領域２１０を形成し、第２フック部２４１Ｂが第２接着領域２２０を形成する。
【００６６】
この第９実施パターンに係るペット用吸収性シート１００９にあっても、第１接着領域２１０における接着力が、第２接着領域２２０における接着力よりも弱く形成される。従って、第１接着領域２１０は第２接着領域２２０とは異なる態様で構成される。
よって、第９実施パターンに係るペット用吸収性シート１００９は、上述した基本構成に係るペット用吸収性シート１００の作用および効果を達成することが可能となる。
【００６７】
（第１０実施パターン）
第１０実施パターンに係るペット用吸収性シート１００１０の構成を、図１９に基づき説明する。図１９は、ペット用吸収性シート１００１０における接着領域２００を示す断面図であり、図３におけるＶＩ−ＶＩ線断面図に相当する図である。
第１０実施パターンに係るペット用吸収性シート１００１０は、接着領域２００が、複数のフック部２４１が形成された係止領域２４０と、粘着剤２３０が配置された粘着領域とにより形成される。
【００６８】
このような構成の接着領域２００においては、上述の通り、載置対象である床材の構成により、第１接着領域２１０と第２接着領域２２０とが適宜変更される。すなわち、床材がビニール製等の平滑な表面を有する場合は、係止領域２４０が第１接着領域２１０となり、粘着領域が第２接着領域２２０となる。一方、床材が絨毯等の繊維による表面を有する場合は、粘着領域が第１接着領域２１０となり、係止領域２４０が第２接着領域２２０となる。
【００６９】
この第１０実施パターンに係るペット用吸収性シート１００１０にあっても、第１接着領域２１０における接着力が、第２接着領域２２０における接着力よりも弱く形成される。従って、第１接着領域２１０は第２接着領域２２０とは異なる態様で構成される。
よって、第１０実施パターンに係るペット用吸収性シート１００１０は、上述した基本構成に係るペット用吸収性シート１００の作用および効果を達成することが可能となる。
【００７０】
（第１１実施パターン）
第１１実施パターンに係るペット用吸収性シート１００１１の構成を、図２０に基づき説明する。図２０は、ペット用吸収性シート１００１１における隣接接着領域２００Ａを示す拡大図である。
上述した基本構成に係るペット用吸収性シート１００においては、接着領域２００の長手方向Ｙ上の端部と、ペット用吸収性シート１００の長手方向Ｙ上の端部１００Ｙとが一致した構成を説明した。一方、ペット用吸収性シートに対する接着領域２００の配置構造は、これに限るものではない。
【００７１】
例えば、図２０に示されるペット用吸収性シート１００１１のように、接着領域２００における長手方向Ｙ上の端部と長手交差方向Ｘ上の端部が、ペット用吸収性シート１００１１における長手方向Ｙ上の端部１００Ｙと長手交差方向Ｘ上の端部１００Ｘのそれぞれと一致しても良い。この場合、ペット用吸収性シート１００１１の角部１００Ｃに対し、接着領域２００が形成される。
このような構成の場合、基本構成のペット用吸収性シート１００と比して、ペット用吸収性シート１００１１の端部１００Ｙ、１００Ｘを含む領域において、接着領域２００が形成されていない領域を減少させることができる。よって、ペットがペット用吸収性シート１００１１を剥離しようとするいたずらが、より困難なものとなる。
【００７２】
なお、接着領域２００の長手交差方向Ｘ上の端部と、ペット用吸収性シートの長手交差方向Ｘ上の端部１００Ｘのみが一致する構成とすることも可能である。
【００７３】
（第１２実施パターン）
第１２実施パターンに係るペット用吸収性シート１００１２の構成を、図２１〜図２２に基づき説明する。第１２実施パターンには、隣接接着領域２００Ａにおける、第１接着領域２１０と第２接着領域２２０の配置形態に関する。
【００７４】
ペット用吸収性シート１００１２は、端部領域（図示せず）から央部領域（図示せず）へと向かう方向である内側方向１００Ｕと、央部領域から端部領域へと向かう方向である外側方向１００Ｓとに規定される。なお、端部領域とは、ペット用吸収性シートにおいて、長手方向上の端部１００Ｙもしくは長手交差方向上の端部Ｘを含む領域である。央部領域とは、ペット用吸収性シート上の領域における、長手方向Ｙと長手交差方向Ｘの中心点を含むとともに、端部領域を含まない領域である。
【００７５】
ペット用吸収性シート１００１２は、複数個の隣接接着領域２００Ａを有する。図２１および図２２におけるペット用吸収性シート１００１２には、４個の隣接接着領域２００Ａが形成されている。一方、隣接接着領域２００Ａは複数個形成されていれば足りるものである。すなわち、隣接接着領域２００Ａは、実現すべきペット用吸収性シートにより任意の個数が形成される。
【００７６】
第１２実施パターンに係るペット用吸収性シート１００１２においては、複数個の隣接接着領域２００Ａにおいて、第１接着領域２１０が外側方向１００Ｓに配置されている部分を有する。この際、ペット用吸収性シート１００１２においては、４個の隣接接着領域２００Ａの全てにおいて、第１接着領域２１０が外側方向１００Ｓに配置されている。
【００７７】
第１２実施パターンに係るペット用吸収性シート１００１２においては、第１接着領域２１０と第２接着領域２２０とは、ともに粘着剤２３０が塗布されている。そして、粘着剤２３０としては、第２接着領域２２０の方が、第１接着領域２１０よりも強い接着力となるものが使用される。よって、第１２実施パターンに係るペット用吸収性シート１００１２は、上述した基本構成に係るペット用吸収性シート１００の作用および効果を達成することが可能となる。
【００７８】
なお、ペット用吸収性シート１００１２にあっては、接着力の弱い第１接着領域２１０が外側方向１００Ｓに配置されている。ここで、ペット用吸収性シート１００１２の端部領域が載置対象に接着していた方が、ペット用吸収性シート１００１２のめくれ防止には好適である。よって、第１接着領域２１０と第２接着領域２２０の内、第１接着領域２１０を先に露出させることが好ましい。
【００７９】
図２２は、剥離シート３００が接着されたペット用吸収性シート１００１２を示す。剥離シート３００には表示部３６０が形成されている。表示部３６０は、第１接着領域２１０を先に露出させる方向を示す第１表示部３６１と、次に、第２接着領域２２０を露出させる方向を示す第２表示部３６２とを有する。なお、図２２において、第１表示部３６１と第２表示部３６２は、剥離されるべき方向を示している。一方、表示部３６０の構成はこれに限らず、例えば具体的な文章により、先に第１接着領域２１０を露出させ、次に第２接着領域２２０を露出させることを説明しても良い。
この表示部３６０によって、ユーザは確実に、第１接着領域２１０と第２接着領域２２０との双方が露出している状態を形成することができる。
この結果、ペット用吸収性シート１００１２においては、弱い接着力のみで接着が可能な載置対象に対しては、第１接着領域２１０のみを使用することができる。また、強い接着力を必要とする載置対象に対しては、第１接着領域２１０および第２接着領域２２０を使用することができる。
【００８０】
（第１３実施パターン）
第１３実施パターンに係るペット用吸収性シート１００１３の構成を、図２３〜図２４に基づき説明する。第１３実施パターンには、第１２実施パターンと同様に、隣接接着領域２００Ａにおける、第１接着領域２１０と第２接着領域２２０の配置形態に関する。
【００８１】
第１３実施パターンに係るペット用吸収性シート１００１３においては、第１接着領域２１０と第２接着領域２２０との配列方向１００Ｈが、複数個の隣接接着領域２００Ａにおいて同一とされている。ペット用吸収性シート１００１３においては、４個の隣接接着領域２００Ａの全ての隣接接着領域２００Ａにおける第１接着領域２１０と第２接着領域２２０の配列順序が、同一の配列方向１００Ｈとされている。
【００８２】
図２４は、第１３実施パターンに係るペット用吸収性シート１００１３において、接着領域２００に剥離シート３００を接着した状態を示す。剥離シート３００は、表示部３６０を有する。表示部３６０は、第１接着領域２１０を露出させる方向を示す第１表示部３６１と、第２接着領域２２０を露出させる方向を示す第２表示部３６２とを有する。
【００８３】
このような構成のペット用吸収性シート１００１３において、ユーザが第１接着領域２１０を露出させ、載置対象に接着する場合を説明する。この場合、図２４における左方向から右方向に向かって、剥離シート３００を第１接着領域２１０から剥離する。この、第１接着領域２１０を露出させるために、剥離シート３００を剥離させる方向は、全ての接着領域２００において同一となる。
【００８４】
すなわち、第１接着領域２１０から剥離シート３００を剥離する場合、ユーザは、剥離シート３００の端部を把持し、手首を返す作業もしくは手首を移動させる作業を行う。ペット用吸収性シート１００１３においては、全ての接着領域２００において、剥離シート３００を剥離させるために行う手首を返す作業もしくは手首を移動させる作業が、同一の方向となる。よって、第１３実施パターンに係るペット用吸収性シート１００１３は、ユーザにとって使い勝手が良いものとなる。
【００８５】
なお、本発明に係るペット用吸収性シートの構成は上述した構造に限らないものである。基本構成や第１実施パターン〜第１３実施パターンに記載されている構成を、適宜組み合わせることは、もちろん可能である。
【００８６】
（実施の形態と本発明の各構成要素の対応について）
ペット用吸収性シート１００、１００１、１００２、１００３、１００４、１００５、１００６、１００７、１００８、１００９、１００１１、１００１２、１００１３は、本発明に係る「ペット用吸収性シート」の一例である。表面シート１１０は、本発明に係る「第１シート」の一例である。裏面シート１２０は、本発明に係る「第２シート」の一例である。吸収性コア１３０は、本発明に係る「吸収性コア」の一例である。排泄面１４０は、本発明に係る「排泄面」の一例である。載置面１５０は、本発明に係る「載置面」の一例である。接着領域２００は、本発明に係る「接着領域」の一例である。第１接着領域２１０は、本発明に係る「第１接着領域」の一例である。第２接着領域２２０は、本発明に係る「第２接着領域」の一例である。粘着剤２３０は、本発明に係る「粘着剤」の一例である。フック部２４１は、本発明に係る「フック部」の一例である。接着力低減領域４００は、本発明に係る「接着力低減領域」の一例である。剥離シート３００は、本発明に係る「剥離シート」の一例である。第１剥離シート面３１０は、本発明に係る「第１剥離シート面」の一例である。第２剥離シート面３２０は、本発明に係る「第２剥離シート面」の一例である。抑制領域３４０は、本発明に係る「抑制領域」の一例である。促進領域３５０は、本発明に係る「促進領域」の一例である。
【００８７】
以上の本発明の特質に鑑み、以下の各種の構成態様が構築できる。
（態様１）
ペット用吸収性シートであって、
液透過性を有する第１シートと、液不透過性を有する第２シートと、前記第１シート及び前記第２シートの間に配置される吸収性コアと、ペットが排泄を行う側の表面である排泄面と、当該排泄面と対向する表面である載置面と、を有し、
前記載置面は、載置対象に接着可能とされた接着領域を有し、
前記接着領域は、第１接着領域と、当該第１接着領域とは異なる態様で構成された第２接着領域とを有することを特徴とするペット用吸収性シート。
【００８８】
（態様２）
態様１に記載されたペット用吸収性シートであって、
前記第１接着領域における接着力が、前記第２接着領域における接着力よりも弱く形成されることにより、前記第１接着領域は前記第２接着領域とは異なる態様で構成されることを特徴とするペット用吸収性シート。
【００８９】
（態様３）
態様１または２のいずれか１項に記載されたペット用吸収性シートであって、
前記接着領域は、粘着剤が塗布された粘着領域により形成されることを特徴とするペット用吸収性シート。
【００９０】
（態様４）
態様３に記載されたペット用吸収性シートであって、
前記第１接着領域と、前記第２接着領域とは同一の組成を有する粘着剤が塗布されるとともに、
前記第１接着領域には、接着力を低減する領域である接着力低減領域が形成されていることを特徴とするペット用吸収性シート。
【００９１】
（態様５）
態様４に記載されたペット用吸収性シートであって、
前記接着力低減領域は、前記第１接着領域における一部の領域にエンボス加工を施すことにより形成されることを特徴とするペット用吸収性シート。
【００９２】
（態様６）
態様４に記載されたペット用吸収性シートであって、
前記接着力低減領域は、前記第１接着領域における一部の領域にパウダーを配置することにより形成されることを特徴とするペット用吸収性シート。
【００９３】
（態様７）
態様４に記載されたペット用吸収性シートであって、
前記接着力低減領域は、前記第１接着領域における一部の領域に粘着剤を設けないことにより形成されることを特徴とするペット用吸収性シート。
【００９４】
（態様８）
態様１〜７のいずれか１項に記載されたペット用吸収性シートであって、
前記接着領域の少なくとも一部に配置される剥離シートを有し、
前記剥離シートは、前記接着領域に向けられる第１剥離シート面と、当該第１剥離シート面と対向する面である第２剥離シート面とを有することを特徴とするペット用吸収性シート。
【００９５】
（態様９）
態様８に記載されたペット用吸収性シートであって、
前記第１剥離シート面は、前記接着領域に対する接着を抑制する抑制領域と、前記接着領域に対する接着を促進する促進領域とを有することを特徴とするペット用吸収性シート。
【００９６】
（態様１０）
態様９に記載されたペット用吸収性シートであって、
前記剥離シートは、前記促進領域の周囲に形成された切込みによる第１切込み部を有し、
前記接着力低減領域は、前記剥離シートを前記接着領域から剥離した状態において、前記第１切込み部により前記剥離シートから離脱した前記促進領域が、前記第１接着領域に残存することにより形成されることを特徴とするペット用吸収性シート。
【００９７】
（態様１１）
態様９に記載されたペット用吸収性シートであって、
前記第１接着領域は、当該第１接着領域の粘着剤における一部の領域の周囲に形成された切込みによる第２切込み部を有し、
前記接着力低減領域は、前記剥離シートを前記接着領域から剥離した状態において、前記第２切込み部により前記第１接着領域から離脱した前記粘着剤における一部の領域が、前記促進領域に移行することにより形成されることを特徴とするペット用吸収性シート。
【００９８】
（態様１２）
態様４に記載されたペット用吸収性シートであって、
前記接着力低減領域は、第１接着領域２１０における載置対象に接着される表面の面積が、第２接着領域２２０における載置対象に接着される表面の面積よりも小さく形成されることにより構成されることを特徴とするペット用吸収性シート。
【００９９】
（態様１３）
態様８に記載されたペット用吸収性シートであって、
前記第１接着領域と、前記第２接着領域とは同一の組成を有する粘着剤が塗布されるとともに、
前記第１接着領域は、前記接着領域の一部から前記第１剥離シート面を剥離することによって露出された第１露出領域により形成され、
前記第２接着領域は、前記接着領域の一部から前記第１剥離シート面を剥離することによって露出された前記第１露出領域よりも広い領域である第２露出領域により形成されることを特徴とするペット用吸収性シート。
【０１００】
（態様１４）
態様３に記載されたペット用吸収性シートであって、
前記第１接着領域と、前記第２接着領域とは異なる組成を有する粘着剤が塗布されるとともに、
前記第１接着領域における粘着力は、前記第２接着領域における粘着力よりも弱く形成されていることを特徴とするペット用吸収性シート。
【０１０１】
（態様１５）
態様１または２のいずれか１項に記載されたペット用吸収性シートであって、
前記接着領域は、複数のフック部が形成された係止領域により形成されることを特徴とするペット用吸収性シート。
【０１０２】
（態様１６）
態様１または２のいずれか１項に記載されたペット用吸収性シートであって、
前記接着領域は、粘着剤が塗布された粘着領域と、複数のフック部が形成された係止領域とにより形成されることを特徴とするペット用吸収性シート。
【０１０３】
（態様１７）
態様１〜１６のいずれか１項に記載されたペット用吸収性シートであって、
隣接する前記第１接着領域と前記第２接着領域とは、隣接接着領域を形成し、当該隣接接着領域は、ペット用吸収性シートの載置面に複数個所配置されることを特徴とするペット用吸収性シート。
【０１０４】
（態様１８）
態様１７に記載されたペット用吸収性シートであって、
前記隣接接着領域は、ペット用吸収性シートの載置面における角領域に配置されることを特徴とするペット用吸収性シート。
【０１０５】
（態様１９）
態様１〜１８のいずれか１項に記載されたペット用吸収性シートであって、
接着領域における端部は、ペット用吸収性シートの端部と一致していることを特徴とするペット用吸収性シート。
【０１０６】
（態様２０）
態様１〜１９のいずれか１項に記載されたペット用吸収性シートであって、
前記ペット用吸収性シートにおける端部領域から央部領域へと向かう方向である内側方向と、前記央部領域から前記端部領域へと向かう方向である外側方向とが規定され、
前記第１接着領域と前記第２接着領域とが隣接一対となっている隣接接着領域を有することを特徴とするペット用吸収性シート。
【０１０７】
（態様２１）
態様２０に記載されたペット用吸収性シートであって、
前記隣接接着領域は複数個形成されており、当該複数個の隣接接着領域において、前記第１接着領域が前記外側方向に配置されている部分を有することを特徴とするペット用吸収性シート。
【０１０８】
（態様２２）
態様２０に記載されたペット用吸収性シートであって、
前記隣接接着領域は複数個形成されており、前記第１接着領域と前記第２接着領域との配列方向が、複数個の前記隣接接着領域において同一であることを特徴とするペット用吸収性シート。
【０１０９】
（態様２３）
態様２０〜２２のいずれか１項に記載されたペット用吸収性シートであって、
前記剥離シートは、前記第１接着領域を先に露出させ、次に第２接着領域を露出させることを示す表示部を有することを特徴とするペット用吸収性シート。
【符号の説明】
【０１１０】
１００、１００１、１００２、１００３、１００４、１００５、１００６、１００７、１００８、１００９、１００１１、１００１２、１００１３  ペット用吸収性シート
１００Ｃ  角部
１００Ｃ１  角領域
１００Ｈ  配列方向
１００Ｓ  外側方向
１００Ｕ  内側方向
１００Ｘ  長手交差方向上の端部
１００Ｙ  長手方向の端部
１１０  表面シート（第１シート）
１２０  裏面シート（第２シート）
１３０  吸収性コア
１４０  排泄面
１５０  載置面
２００  接着領域
２００Ａ  隣接接着領域
２１０  第１接着領域
２１１  第１露出領域
２２０  第２接着領域
２２１  第２露出領域
２３０  粘着剤
２３１  第２切込み部
２３２  移行粘着剤
２４０  係止領域
２４１  フック部
２４１Ａ  第１フック部
２４１Ｂ  第２フック部
３００  剥離シート
３００Ａ  第１剥離シート
３００Ｂ  第２剥離シート
３１０  第１剥離シート面
３２０  第２剥離シート面
３３０  剥離シート本体
３４０  抑制領域
３５０  促進領域
３５１  第１の切込み部
３５２  残留促進領域
３６０  表示部
３６１  第１表示部
３６２  第２表示部
４００  接着力低減領域
４１０  凹部
４２０  パウダー
４３０  粘着剤非形成領域
Ｘ  長手交差方向
Ｙ  長手方向
【図１】
2014226042.tif 000003
【図２】
2014226042.tif 000004
【図３】
2014226042.tif 000005
【図４】
2014226042.tif 000006
【図５】
2014226042.tif 000007
【図６】
2014226042.tif 000008
【図７】
2014226042.tif 000009
【図８】
2014226042.tif 000010
【図９】
2014226042.tif 000011
【図１０】
2014226042.tif 000012
【図１１】
2014226042.tif 000013
【図１２】
2014226042.tif 000014
【図１３】
2014226042.tif 000015
【図１４】
2014226042.tif 000016
【図１５】
2014226042.tif 000017
【図１６】
2014226042.tif 000018
【図１７】
2014226042.tif 000019
【図１８】
2014226042.tif 000020
【図１９】
2014226042.tif 000021
【図２０】
2014226042.tif 000022
【図２１】
2014226042.tif 000023
【図２２】
2014226042.tif 000024
【図２３】
2014226042.tif 000025
【図２４】
2014226042.tif 000026